(57)【要約】【課題】  飲料添加物の投入操作を簡略化することができると共に、コンパクトにして飲料添加物の収容量を多くすること。【解決手段】  ペットボトル本体１の開口端面に当接して液シールされる環状シール段部２１ａを備えた螺合部２１と、環状シール段部２１ａの上端面に上端開口縁部側の外向きフランジ部２２ａが接続固定されていて下端開口部２２ｂがペットボトル本体１の開口部１１内まで延長された筒状下部収容部２２と、筒状下部収容部２２の外向きフランジ部２２ａに下端開口縁部が接続された伸縮可能な蛇腹状上部収容部２３と、蛇腹状上部収容部２３と筒状下部収容部２２内においてその上端部が蛇腹状上部収容部２３の内底部側に固定されると共に下端側に先鋭の切開刃部２４ａを備えた蓋切開部２４と、蛇腹状上部収容部２３の外周を包囲する保護カバー２５と、筒状下部収容部２２の下端開口部２２ｂを密閉する切開可能な耐水性仕切り蓋２６と、を備える。【選択図】        図１
2006131283.tif 000002
【特許請求の範囲】
【請求項１】
容器の開口部外周に形成された雄ねじ部に螺合される雌ねじ部の最終端部に前記容器における開口端面に当接して液シールされる環状シール段部を備えた螺合部と、
該螺合部における環状シール段部に上端開口縁部側が接続されていて下端開口部が前記容器の開口部内まで延長された筒状下部収容部と、
該筒状下部収容部の上端開口縁部に下端開口縁部が接続された伸縮可能な蛇腹状上部収容部と、
該蛇腹状上部収容部と前記筒状下部収容部内においてその上端部が前記蛇腹状上部収容部の内底部側に固定されると共に下端側に先鋭の切開刃部を備えた蓋切開部と、
前記筒状下部収容部の下端開口部を密閉する切開可能な耐水性仕切り蓋と、
前記蛇腹状上部収容部と前記筒状下部収容部内に収容されるお茶の粉等の飲料添加物と、で構成されていることを特徴とする容器の蓋体構造。
【請求項２】
前記蓋切開部における切開刃部が中心部の長い先鋭の断面十文字状に形成されていることを特徴とする請求項１に記載の容器の蓋体構造。
【請求項３】
前記蛇腹状上部収容部の外周に着脱可能な保護カバーが設けられていることを特徴とする請求項１または２に記載の容器の蓋体構造。
【請求項４】
前記蛇腹状上部収容部の外周に保護カバーが設けられ、
該保護カバーは天板と該天板と前記螺合部との間を接続する複数本の支柱とで構成され、
該各支柱が折曲可能に構成されていることを特徴とする請求項１または２に記載の容器の蓋体構造。
【請求項５】
前記保護カバーの外周には前記支柱の折曲を防止するラッピングフィルムが装着されていることを特徴とする請求項４に記載の容器の蓋体構造。
【発明の詳細な説明】
【技術分野】
【０００１】
本発明は、容器の蓋体構造に関し、特に、飲料添加物を収容可能な空間を備えた蓋体構造の改良技術に関する。
【背景技術】
【０００２】
従来、飲料添加物を収容可能な空間を備えた蓋体構造としては、例えば、図４に示すように、ペットボトル等の飲料水を充填した容器１０１をねじ式の蓋体１０２によって開閉可能に閉じると共に、前記蓋体１０２の裏面に筒形周壁１０３を突出して設け、その筒形周壁１０３の内部に顆粒状の食味材１０４を収容した状態で前記筒形周壁１０３の開口部を開口可能な薄蓋板１０５で閉じておき、蓋体１０２を開けて飲用する直前に前記薄蓋板１０５を剥して筒形周壁１０３内に収容された顆粒状の食味材１０４を容器１０１内に収容された飲料水に投入して混合させるようにしたものがある（特許文献１参照。）。
【０００３】
【特許文献１】特願２００２−１１４２５９
【発明の開示】
【発明が解決しようとする課題】
【０００４】
しかしながら、上述のような従来例にあっては、以下に述べるような問題点があった。
即ち、図  に示す従来例にあっては、飲用する直前に、まず、蓋体１０２を完全に開けた後、該蓋体１０２の裏面に設けられた筒状周壁１０３の開口部から薄蓋板１０５を剥し、筒状周壁１０３の内部に収容された顆粒状の食味材１０４を容器１０１内に収容された飲料水に投入して混合させる必要がある。
このように、蓋体１０２を一旦完全に開放する操作の他に、薄蓋板１０５の剥離操作および筒状周壁１０３の内部に収容された顆粒状の食味材１０４を容器１０１内に収容された飲料水に投入する操作が別工程として必要であるため、操作が面倒であるという問題があった。
【０００５】
本発明は、上述の従来の問題点に着目してなされたもので、飲料添加物を備えた容器の蓋体において、容器に収容された飲料水等に対する飲料添加物の投入操作を簡略化することができると共に、コンパクトにして飲料添加物の収容量を多くすることができる容器の蓋体構造を提供することを目的とする。
【課題を解決するための手段】
【０００６】
上述の目的を達成するために、本発明請求項１記載の容器の蓋体構造は、容器の開口部外周に形成された雄ねじ部に螺合される雌ねじ部の最終端部に前記容器における開口端面に当接して液シールされる環状シール段部を備えた螺合部と、該螺合部における環状シール段部に上端開口縁部側が接続されていて下端開口部が前記容器の開口部内まで延長された筒状下部収容部と、該筒状下部収容部の上端開口縁部に下端開口縁部が接続された伸縮可能な蛇腹状上部収容部と、該蛇腹状上部収容部と前記筒状下部収容部内においてその上端部が前記蛇腹状上部収容部の内底部側に固定されると共に下端側に先鋭の切開刃部を備えた蓋切開部と、前記筒状下部収容部の下端開口部を密閉する切開可能な耐水性仕切り蓋と、前記蛇腹状上部収容部と前記筒状下部収容部内に収容されるお茶の粉等の飲料添加物と、で構成されていることを特徴とする手段とした。
【０００７】
請求項２記載の容器の蓋体構造は、請求項１に記載の容器の蓋体構造において、前記蓋切開部における切開刃部が中心部の長い先鋭の断面十文字状に形成されていることを特徴とする手段とした。
【０００８】
請求項３記載の容器の蓋体構造は、請求項１または２に記載の容器の蓋体構造において、前記蛇腹状上部収容部の外周に着脱可能な保護カバーが設けられていることを特徴とする手段とした。
【０００９】
請求項４記載の容器の蓋体構造は、請求項１または２に記載の容器の蓋体構造において、前記蛇腹状上部収容部の外周に保護カバーが設けられ、該保護カバーは天板と該天板と前記螺合部との間を接続する複数本の支柱とで構成され、該各支柱が折曲可能に構成されていることを特徴とする手段とした。
【００１０】
請求項５記載の容器の蓋体構造は、請求項４に記載の容器の蓋体構造において、前記保護カバーの外周には前記支柱の折曲を防止するラッピングフィルムが装着されていることを特徴とする手段とした。
【発明の効果】
【００１１】
この発明請求項１記載の容器の蓋体構造では、上述のように構成されるため、容器の開口部外周に形成された雄ねじ部に螺合部を強く螺合した出荷時の状態においては、容器の開口端面に螺合部の環状シール段部が強く当接することにより、該環状シール段部に対し上端開口部が接続された筒状下部収容部および該筒状下部収容部の下端開口部を密閉する切開可能な耐水性仕切り蓋によって容器の開口部が閉塞されると共に、飲料水等が収容された容器内と蓋体におけるお茶の粉等の飲料添加物が収容された空間、即ち、蛇腹状上部収容部および筒状下部収容部内との間が完全に仕切られた状態となる。
従って、飲用直前までお茶の粉等の飲料添加物の品質を保持することができるようになる。
【００１２】
そして、飲用する時は、蛇腹状上部収容部を指等で螺合部方向へ向けて押圧すると、該蛇腹状上部収容部が圧縮されて、まず、その内部に収容された蓋切開部が下方へ押し下げられるため、その下端側に備えられた先鋭の切開刃部が耐水性仕切り蓋を切開して筒状下部収容部の下端開口部を開口させ、さらに、蛇腹状上部収容部を押圧して圧縮させることにより、該蛇腹状上部収容部および筒状下部収容部内に収容されたお茶の粉等の飲料添加物が容器内に押し出される。なお、蛇腹状上部収容部を押圧する際に、容器に対する螺合部の螺合状態を少し緩めておくことにより、容器から空気が抜けるため、蛇腹状上部収容部の収縮操作を楽に行うことができる。
従って、この状態で容器を振って容器内に収容された飲料水とお茶の粉等の飲料添加物を混ぜた後、蓋体を完全に開放する操作のみで、品質劣化のない入れたての状態でお茶等をおいしく飲用することができるようになる。
また、以上のように、蛇腹状上部収容部を押圧する操作のみでよいため、容器に収容された飲料水等に対する飲料添加物の投入操作を簡略化することができるようになるという効果が得られる。
また、筒状下部収容部が容器の開口部内に収容されると共に、この筒状下部収容部内と蛇腹状上部収容部内の両方が飲料添加物の収容空間となるため、コンパクトにして飲料添加物の収容量を多くすることができるようになる。
【００１３】
請求項２記載の容器の蓋体構造では、上述のように、前記蓋切開部における切開刃部が中心部の長い先鋭の断面十文字状に形成されることにより、蓋切開部が下方へ押し下げられる時に十文字状の先端先鋭部で内部に収容された飲料添加物が粉砕されて容器内へ落下させ易くすることができる。
【００１４】
請求項３記載の容器の蓋体構造では、上述のように、前記蛇腹状上部収容部の外周に着脱可能な保護カバーが設けられることにより、輸送中や取り扱い中に誤って蛇腹状上部収容部を押圧することを防止することができるようになる。
【００１５】
請求項４記載の容器の蓋体構造では、上述のように、前記蛇腹状上部収容部の外周に保護カバーが設けられ、該保護カバーは天板と該天板と前記螺合部との間を接続する複数本の支柱とで構成され、該各支柱が折曲可能に構成されることにより、保護カバーにより輸送中や取り扱い中に誤って蛇腹状上部収容部を押圧することを防止することができるようになる。
そして、飲用する時は、保護カバーの天板部分を指等で螺合部方向へ向けて少し強めに押圧することにより、各支柱が外向きに折曲し、これにより、蛇腹状上部収容部を天板と共に下方へ押圧して収縮させることができる。
【００１６】
請求項５記載の容器の蓋体構造では、上述のように、前記保護カバーの外周には前記支柱の折曲を防止するラッピングフィルムが装着されることにより、蛇腹状上部収容部の外面に埃が付着することが防止されると共に、輸送中や取り扱い中に誤って保護カバーの天板部分を押圧しても各支柱が外向きに折曲されて蛇腹状上部収容部が収縮されることを防止することができる。
なお、飲用する時は、ラッピングフィルムを剥ぎ取った後に、保護カバーの天板部分を指等で螺合部方向へ向けて少し強めに押圧することにより、各支柱が外向きに折曲し、これにより、蛇腹状上部収容部を天板と共に下方へ押圧して収縮させることができる。
【発明を実施するための最良の形態】
【００１７】
以下に、実施例を図面に基づいて説明する。
【００１８】
（実施例）
この実施例は請求項１〜５に記載の発明に対応したものである。
まず、本実施例の構成を図１、２に基づいて説明する。
図１は本実施例の容器の蓋体構造を示す縦断面図、図２は図１のＡ−IＡ線における横断面図であり、両図において、１はペットボトル本体（容器）、２はキャップ（容器の蓋体）、３はラッピングフィルムを示す。
【００１９】
さらに詳述すると、前記ペットボトル本体１における開口部１１の外周には雄ねじ部１２が形成されている。
前記キャップ２は、ペットボトル本体１における開口部１１の外周に形成された雄ねじ部１２に螺合される雌ねじ部２１ａの最終端部にペットボトル本体１の開口端面に当接して液シールされる環状シール段部２１ｂを備えた螺合部２１と、該螺合部２１における環状シール段部２１ｂの上端面に上端開口縁部側の外向きフランジ部２２ａが接続固定されていて下端開口部２２ｂがペットボトル本体１の開口部１１内まで延長された筒状下部収容部２２と、該筒状下部収容部２２の外向きフランジ部２２ａに下端開口縁部が接続された伸縮可能な蛇腹状上部収容部２３と、該蛇腹状上部収容部２３と筒状下部収容部２２内においてその上端部が蛇腹状上部収容部２３の内底部側に固定されると共に下端側に先鋭の切開刃部２４ａを備えた蓋切開部２４と、前記蛇腹状上部収容部２３の外周を包囲する保護カバー２５と、前記筒状下部収容部２２の下端開口部２２ｂを密閉する切開可能な耐水性仕切り蓋２６と、が備えられた構造となっている。
【００２０】
そして、前記蛇腹状上部収容部２３と筒状下部収容部内２２にお茶の粉等の飲料添加物（図示せず）が収容されている。
なお、前記蛇腹状上部収容部２３は透明な樹脂で構成されることにより、内部に収容された飲料添加物の内容が目視できるようになっている。
また、前記蓋切開部２４は、切開刃部２４ａを含む全体が中心部の長い先鋭の断面十文字状に形成されている。
【００２１】
また、前記保護カバー２５は、天板２５ａと該天板２５ａと螺合部２１との間を接続する４本の支柱２５ｂとで構成され、該各支柱２５ｂが外向きに折曲可能に構成されている。
また、前記ラッピングフィルム３は、透明で、前記保護カバー２５の外周を覆う状態に装着されることにより、前記支柱２５ｂの折曲を防止する役目をなす。
【００２２】
次に、この実施例の作用・効果を説明する。
この実施例の容器の蓋体構造では上述のように構成されるため、ペットボトル本体１の開口部１１外周に形成された雄ねじ部１２に螺合部２１を強く螺合した出荷時の状態においては、図１に示すように、ペットボトル本体１の開口端面に螺合部２１の環状シール段部２１ｂが強く当接することにより、該環状シール段部２１ｂに対し上端開口部が接続された筒状下部収容部２２および該筒状下部収容部２２の下端開口部２２ｂを密閉する切開可能な耐水性仕切り蓋２６によってペットボトル本体１の開口部１１が閉塞されると共に、飲料水等が収容されたペットボトル本体１内とキャップ２におけるお茶の粉等の飲料添加物が収容された空間、即ち、蛇腹状上部収容部２３および筒状下部収容部２２内との間が完全に仕切られた状態となる。
従って、飲用直前までお茶の粉等の飲料添加物の品質を保持することができるようになる。
【００２３】
また、筒状下部収容部２２がペットボトル本体１の開口部１１内に収容されると共に、この筒状下部収容部２２内と蛇腹状上部収容部２３内の両方が飲料添加物の収容空間となるため、コンパクトにして飲料添加物の収容量を多くすることができるようになる。
【００２４】
そして、飲用する時は、図３に示すように、蛇腹状上部収容部２３を指等で螺合部２１方向へ向けて押圧すると、該蛇腹状上部収容部２３が圧縮されて、まず、その内部に収容された蓋切開部２４が下方へ押し下げられるため、その下端側に備えられた先鋭の切開刃部２４ａが耐水性仕切り蓋２６を切開して筒状下部収容部２２の下端開口部２２ｂを開口させ、さらに、蛇腹状上部収容部２３を押圧して圧縮させることにより、該蛇腹状上部収容部２３および筒状下部収容部２２内に収容されたお茶の粉等の飲料添加物がペットボトル本体１内に押し出される。なお、蛇腹状上部収容部２３を押圧する際に、ペットボトル本体１に対する螺合部２１の螺合状態を少し緩めておくことにより、ペットボトル本体１から空気が抜けるため、蛇腹状上部収容部２３の収縮操作を楽に行うことができる。
従って、この状態でペットボトル本体１を振ってペットボトル本体１内に収容された飲料水とお茶の粉等の飲料添加物を混ぜた後、キャップ２を完全に開放する操作のみで、品質劣化のない入れたての状態でお茶等をおいしく飲用することができるようになる。
以上のように、蛇腹状上部収容部２３を押圧する操作のみでよいため、ペットボトル本体１に収容された飲料水等に対する飲料添加物の投入操作を簡略化することができるようになるという効果が得られる。
【００２５】
また、前記蓋切開部２４における切開刃部２４ａが中心部の長い先鋭の断面十文字状に形成されることにより、蓋切開部２４が下方へ押し下げられる時に十文字状の先端先鋭部で内部に収容された飲料添加物が粉砕されてペットボトル本体１内へ落下させ易くすることができる。
【００２６】
また、前記蛇腹状上部収容部２３の外周に保護カバー２５が設けられ、該保護カバー２５は天板と該天板と前記螺合部２１との間を接続する複数本の支柱２５ｂとで構成され、該各支柱２５ｂが折曲可能に構成されることにより、保護カバー２５により輸送中や取り扱い中に誤って蛇腹状上部収容部２３を押圧することを防止することができるようになる。
そして、飲用する時は、保護カバー２５の天板２５ａ部分を指等で螺合部２１方向へ向けて少し強めに押圧することにより、各支柱２５ｂが外向きに折曲し、これにより、蛇腹状上部収容部２３を天板２５ａと共に下方へ押圧して収縮させることができる。
【００２７】
また、前記保護カバー２５の外周には前記支柱２５ｂの折曲を防止するラッピングフィルム３が装着されることにより、蛇腹状上部収容部２３の外面に埃が付着することが防止されると共に、輸送中や取り扱い中に誤って保護カバー２５の天板２５ａ部分を押圧しても各支柱２５ｂが外向きに折曲されて蛇腹状上部収容部２３が収縮されることを防止することができる。
なお、飲用する時は、ラッピングフィルム３を剥ぎ取った後に、保護カバー２５の天板２５ａ部分を指等で螺合部２１方向へ向けて少し強めに押圧することにより、各支柱２５ｂが外向きに折曲し、これにより、蛇腹状上部収容部２３を天板２５ａと共に下方へ押圧して収縮させることができる。
【００２８】
以上実施例を図面により説明したが、具体的な構成はこれらの実施例に限られるものではない。
例えば、実施例では、飲料添加物として、お茶の粉を例にとったが、その他に、お茶の葉、紅茶、コーヒー、果実の粉等、容器に収容された水やお湯等に添加することにより、飲用可能な物全てを含む。
【００２９】
また、実施例では、容器としてペットボトルを例にとったが、その素材や形状は任意である。
また、実施例では、前記保護カバー２５として、天板２５ａと該天板２５ａと螺合部２１との間を接続する４本の支柱２５ｂとで構成したが、蛇腹状上部収容部２３の外周面全体を覆う保護カバーを、螺合部２１に対し着脱可能な状態に設けるようにしてもよい。この場合は、保護カバーを取り外した状態で蛇腹状上部収容部２３を押圧することになる。
また、前記蓋切開部２４の具体的形状は任意であり断面十文字状には限定されない。
【図面の簡単な説明】
【００３０】
【図１】実施例の容器の蓋体構造を示す縦断面図である。
【図２】図１のＡ−Ａ線における横断面図である。
【図３】実施例の容器の蓋体構造における使用状態を示す縦断面図である。
【図４】従来例の容器の蓋体構造を示す縦断面図である。
【符号の説明】
【００３１】
１  ペットボトル本体（容器）
１１  開口部
１２  雄ねじ部
２  キャップ（容器の蓋体）
２１  螺合部
２１ａ  雌ねじ部
２１ｂ  環状シール段部
２２  筒状下部収容部
２２ａ  外向きフランジ部
２２ｂ  下端開口部
２３  蛇腹状上部収容部
２４  蓋切開部
２４ａ  切開刃部
２５  保護カバー
２５ａ  天板
２５ｂ  支柱
２６  耐水性仕切り蓋
３  ラッピングフィルム
【図１】
2006131283.tif 000003
【図２】
2006131283.tif 000004
【図３】
2006131283.tif 000005
【図４】
2006131283.tif 000006